(57)【要約】   【課題】  ファイルの内容の一部を不特定ユーザに開示しながらも残部を特定ユーザにのみ開示するような段階的なセキュリティ管理を行なうことのできる画像読取装置を提供する。  【解決手段】  画像読取手段により読み取られた画像データを所定のファイル形式により画像ファイルとして生成するファイル生成手段３３を、画像データの一部を所定形式の第一ファイルＦ１として生成処理する第一ファイル生成手段１と、前記対象ファイルデータの残部を前記第一ファイルとは異なる形式の第二ファイルＦ２として生成する第二ファイル生成手段２と、前記第一ファイル生成手段により生成された第一ファイルに前記第二ファイル生成手段により生成された第二ファイルを付加した出力ファイルＦ３を前記第一ファイルのファイル属性を備えた出力ファイルとして生成する出力ファイル生成手段３を備えて構成する。  【選択図】  図１
2007028456.tif 000002
【特許請求の範囲】
【請求項１】
原稿画像を読み取る画像読取手段と、前記画像読取手段により読み取られた画像データを所定のファイル形式により画像ファイルとして生成するファイル生成手段と、前記ファイル生成手段により生成されたファイルをネットワーク接続された端末に転送するファイル転送手段を備えてなる画像読取装置であって、
前記ファイル生成手段を、前記画像データの一部を所定形式の第一ファイルとして生成処理する第一ファイル生成手段と、前記対象ファイルデータの残部を前記第一ファイルとは異なる形式の第二ファイルとして生成する第二ファイル生成手段と、前記第一ファイル生成手段により生成された第一ファイルに前記第二ファイル生成手段により生成された第二ファイルを付加した出力ファイルを前記第一ファイルのファイル属性を備えた出力ファイルとして生成する出力ファイル生成手段を備えて構成してある画像読取装置。
【請求項２】
前記第二ファイルに対するセキュリティ情報入力手段を備え、前記第二ファイル生成手段は、前記セキュリティ情報入力手段により入力されたセキュリティ情報が埋め込まれた前記第二ファイルを生成する請求項１記載の画像読取装置。
【請求項３】
前記出力ファイル生成手段は、前記第二ファイルが真正なファイルであることを識別するファイル識別情報をさらに付加して前記出力ファイルを生成する請求項１または２記載の画像読取装置。
【発明の詳細な説明】
【技術分野】
【０００１】
本発明は、原稿画像を読み取る画像読取手段と、前記画像読取手段により読み取られた画像データを所定のファイル形式により画像ファイルとして生成するファイル生成手段と、前記ファイル生成手段により生成されたファイルをネットワーク接続された端末に出力するファイル出力手段を備えてなる画像読取装置に関する。
【背景技術】
【０００２】
画像読取手段によって読み取られたデジタル形式の画像データを一般のパーソナルコンピュータで利用される画像表示アプリケーションで閲覧可能にすべく、スキャナにより光学的に読取った原稿の画像情報をデジタル化して画像情報データとして記憶手段に記憶しておき、操作部又はコンピュータからの指令によって前記画像情報データに基づいて所定の記録媒体に画像を形成して出力する画像形成装置において、前記スキャナが読取った画像情報をコンピュータにおいて一般的に用いられているデジタルデータ形式、例えばＰＤＦ形式に変換する変換手段と、該デジタルデータ形式による画像情報を画面表示する表示手段と、該デジタルデータ形式による画像情報をコンピュータへ転送する転送手段を有することを特徴とする画像形成装置が提案されている。
【特許文献１】特開２００３−４６７００号公報
【発明の開示】
【発明が解決しようとする課題】
【０００３】
しかし、上述した従来技術によれば、画像読取手段によって読み取られたデジタル形式の画像データの全てがコンピュータにインストールされている汎用の画像表示アプリケーションで閲覧可能な形式に変換されるため、情報管理、セキュリティ確保の観点でさらなる改善の余地があった。
【０００４】
例えば、画像読取手段で読み取られた重要な会議議事録のような複数枚の社内機密文書がそのようなファイル形式に変換されてファイルサーバ等に格納されたり、ネットワーク上に流出する場合には、第三者が容易にファイルの内容を見ることができ、セキュリティの観点で重大な問題が生じる。一方、そのような画像ファイルに対して暗号化処理したり、パスワードを設定することによりセキュリティの程度は向上するが、同種のファイルが複数ある場合に、どのファイルがどのような内容のファイルであるかを容易に判断することができず、そのような機密文書にアクセスするパスワードを把握していても適切にファイルを選択できないという問題があった。
【０００５】
本発明は、従来欠点に鑑み、ファイルの内容の一部を不特定ユーザに開示しながらも残部を特定ユーザにのみ開示するような段階的なセキュリティ管理を行なうことのできる画像読取装置を提供する点にある。
【課題を解決するための手段】
【０００６】
上述の目的を達成するため、本発明による画像読取装置の第一の特徴構成は、特許請求の範囲の書類の請求項１に記載した通り、原稿画像を読み取る画像読取手段と、前記画像読取手段により読み取られた画像データを所定のファイル形式により画像ファイルとして生成するファイル生成手段と、前記ファイル生成手段により生成されたファイルをネットワーク接続された端末に転送するファイル転送手段を備えてなる画像読取装置であって、前記ファイル生成手段を、前記画像データの一部を所定形式の第一ファイルとして生成処理する第一ファイル生成手段と、前記対象ファイルデータの残部を前記第一ファイルとは異なる形式の第二ファイルとして生成する第二ファイル生成手段と、前記第一ファイル生成手段により生成された第一ファイルに前記第二ファイル生成手段により生成された第二ファイルを付加した出力ファイルを前記第一ファイルのファイル属性を備えた出力ファイルとして生成する出力ファイル生成手段を備えて構成してある点にある。
【０００７】
上述の構成によれば、出力ファイル生成手段によって生成された出力ファイルがコンピュータ上で閲覧されるとき、当該出力ファイルが第一ファイルのファイル属性を備えているために、操作者により当該出力ファイルをオープンするように操作される（例えばダブルクリック）と、ＯＳのファイル管理システムにより当該ファイル属性に対応するアプリケーション、つまり第一ファイルに対応するアプリケーションが起動され、その結果、当該アプリケーションによって第一ファイルがオープンされる。しかし、対応していない第二ファイルはオープンされることがない。従って、不特定のユーザにとってはオープンされた内容のみのファイルとしか認識できず、第二ファイルの内容を把握することも存在そのものの認識もされないのである。一方、出力ファイルに隠しファイルが存在することを理解している特定のユーザは、オープンされた第一ファイルの何らかの内容に基づいて第二ファイルの存在を確認できるようになるのである。
【０００８】
同第二の特徴構成は、同請求項２に記載した通り、上述の第一特徴構成に加えて、前記第二ファイルに対するセキュリティ情報入力手段を備え、前記第二ファイル生成手段は、前記セキュリティ情報入力手段により入力されたセキュリティ情報が埋め込まれた前記第二ファイルを生成する点にある。
【０００９】
上述の構成によれば、仮に第二ファイルの存在に気付いた不特定のユーザが出力ファイルを編集して第二ファイルをオープンしようとしても、セキュリティ情報が不明のためにファイルをオープンすることができないのである。
【００１０】
同第三の特徴構成は、同請求項３に記載した通り、上述の第一または第二特徴構成に加えて、前記出力ファイル生成手段は、前記第二ファイルが真正なファイルであることを識別するファイル識別情報をさらに付加して前記出力ファイルを生成する点にある。
【００１１】
上述の構成によれば、仮に他のアプリケーションで同様のファイル構造を備えた出力ファイルが生成される場合であっても、ファイル識別情報に基づいて前記出力ファイル生成手段によって生成された真正なファイルであるか否かが判断できるようになるので、セキュリティの信頼性を向上させることができる。
【発明の効果】
【００１２】
以上説明した通り、本発明によれば、ファイルの内容の一部を不特定ユーザに開示しながらも残部を特定ユーザにのみ開示するような段階的なセキュリティ管理を行なうことのできる画像読取装置を提供することができるようになった。
【発明を実施するための最良の形態】
【００１３】
以下に本発明による画像読取装置及び当該画像読取装置により生成され、転送された出力ファイルを処理するファイル処理システムを説明する。図８に示すように、本発明による画像読取装置はデジタル複合機に組み込まれ、原稿画像を読み取る画像読取手段２０と、前記画像読取手段２０により読み取られた画像データを所定のファイル形式により画像ファイルとして生成するファイル生成手段３３と、前記ファイル生成手段３３により生成されたファイルをネットワーク接続された端末に転送するファイル転送手段５０を備えて構成される。
【００１４】
上述のデジタル複合機は、前記画像読取手段２０と、読み取られた画像に対して所定の処理を実行する画像処理手段３０と、画像処理された画像データを記録紙に印字出力する画像形成手段４０と、ネットワーク接続された複数のコンピュータに対してファイルを転送するファイル転送手段５０と、複数の動作モード等を設定する操作部７０と、上述の各機能ブロックを統合制御するシステム制御部６０等を備えて構成されている。
【００１５】
前記画像読取手段２０は、読取対象である原稿を所定の読取位置に搬送する原稿給紙部２１と、給紙された原稿画像を光電変換するＣＣＤ２２と、デジタル画像データに変換するＡ／Ｄ変換手段２３と、Ａ／Ｄ変換されたデジタルの画像データをシェーディング補正等する入力画像処理手段２４を備えて構成される。
【００１６】
前記画像処理手段３０は、前記入力画像処理手段２４からの画像データに対して前記操作部７０で設定された動作モードに応じて階調変換、拡縮処理等の所定の画像処理を行なう画像処理部３１と、処理後の画像データを印字出力するためのプリントデータに変換する画像変換部３２と、処理後の画像データを格納するファイル記憶手段３４としてのハードディスク装置と、ファイル記憶手段３４に格納された画像データから所定の出力ファイルを生成するファイル生成手段３３とを備えて構成され、生成された出力ファイルが前記ファイル記憶手段３４に格納される。
【００１７】
前記画像形成手段４０は、記録紙４３を搬送する搬送部４３と、電子写真方式を採用する画像形成部４２と、前記画像変換部３２で変換されたプリントデータに基づいて駆動され、前記画像形成部４２の感光体を露光するプリントヘッド４１と、前記画像形成部４２で形成されたトナー像が転写された記録紙を定着する定着部４４を備えて構成される。
【００１８】
前記ファイル生成手段３３は、図１に示すように、前記画像処理部３１による処理後の画像データ、つまり対象ファイルデータＦＤの一部を所定形式の第一ファイルＦ１として生成処理する第一ファイル生成手段１と、前記対象ファイルデータＦＤの残部を前記第一ファイルＦ１とは異なる形式の第二ファイルＦ２として生成する第二ファイル生成手段２と、前記第一ファイル生成手段１により生成された第一ファイルＦ１に前記第二ファイル生成手段２により生成された第二ファイルＦ２を付加した出力ファイルＦ３を前記第一ファイルＦ１のファイル属性を備えた出力ファイルＦ３として生成する出力ファイル生成手段３を備えて構成される。
【００１９】
前記第二ファイルＦ２に対するセキュリティ情報入力手段２１を備え、前記第二ファイル生成手段２は、前記セキュリティ情報入力手段２１により入力されたセキュリティ情報が埋め込まれた前記第二ファイルＦ２を生成するように構成され、前記出力ファイル生成手段３は、前記第二ファイルＦ２が真正なファイルであることを識別するファイル識別情報をさらに付加して前記出力ファイルＦ３を生成するように構成されている。
【００２０】
一例として、前記画像読取手段２０で読み取られた会議議事録としての対象ファイルデータＦＤを当該ファイル生成手段３３によって所定の出力ファイルに編集生成する場合を説明する。
【００２１】
具体的には、前記画像読取手段２０で読み取られた複数枚の画像データである対象ファイルデータＦＤが前記ファイル記憶手段３４に格納されている状態で、前記操作部７０から図示しないファイル編集スイッチが操作されるとファイル編集モードに移行して、操作部の液晶表示部に編集対象ファイルの選択画面が表示される。編集対象ファイルを選択するとそれらのサムネイル画像が表示され、図２に示すような設定画面が表示される。対象ファイルデータに対して指定された一部のページデータ（ここでは第１ページ）が第一ファイル生成手段１によりＪＰＥＧ画像ファイルとして生成され、残余のページデータまたは全ページデータが第二ファイル生成手段２によりＰＤＦファイルとして生成され、さらに出力ファイル生成手段３により第一ファイルＦ１であるＪＰＥＧ画像ファイルに第二ファイルＦ２であるＰＤＦファイルが付加されたファイルがその属性としての拡張子（．ｊｐｇ）を有するＪＰＥＧ画像ファイルとして生成された後に前記ファイル記憶手段３４に格納される。
【００２２】
生成された出力ファイルＦ３は、図４に示すように、第一ファイルＦ１が、ＪＰＥＧヘッダー部と、作成日時等の属性データやサムネイル画像データが配置されたＪＰＥＧ情報データ部と、第１ページ目のページデータでなるＪＰＥＧ画像が配置されたＪＰＥＧ画像データ部とからなるＪＰＥＧファイルフォーマットで構成され、その後段に第二ファイルが真正なファイルであることを識別するファイル識別情報等が配置されたファイル情報格納部と、残余のページデータまたは全ページデータでなる第二ファイルＦ２に対応するＰＤＦファイルが配置されたファイル実データ部を備えて構成される。前記ファイル情報格納部は、例えば１０２４バイトの固定長で当該画像読取手段２０により生成されたファイルであることを示す認証情報、当該ＰＤＦファイルの属性情報であるファイル名称、ファイル作成日時、ＰＤＦファイルのデータサイズ及びチェックサム等で構成される。
【００２３】
一般にＪＰＥＧヘッダー部の先頭には《Ｓｔａｒｔ  ｏｆ  ｉｍａｇｅ》を示す所定の２バイトデータ（図中、黒丸で示す）が配置され、その後にＪＰＥＧ情報データ部とＪＰＥＧ画像データ部等に対応する先頭アドレス情報等が記録される。さらにＪＰＥＧ画像データ部の最後部に《Ｅｎｄ  ｏｆ  Ｉｍａｇｅ》を示す２バイトデータ（図中、白丸で示す）が付加される。
【００２４】
ＪＰＥＧ画像ファイルで表された第一ファイルＦ１に付加されたファイル情報格納部とファイル実データ部の先頭には、本発明による出力ファイル生成手段３によって付加されたファイルの先頭位置であることを示す《ＫＭ  Ｅｍｂｅｄｄｅｄ  Ｉｍａｇｅ  Ｓｔａｒｔ》を示す数バイトの先頭データ（図中、黒三角で示す）が配置され、最後部には付加されたファイルの最終位置を示す《ＫＭ  Ｅｍｂｅｄｄｅｄ  Ｉｍａｇｅ  Ｅｎｄ》を示す数バイトの終了データ（図中、白三角で示す）が配置される。
【００２５】
このようなファイルフォーマットで生成された出力ファイルが、図示しない操作部７０からの転送操作によりネットワーク接続されたパーソナルコンピュータに転送される（ｅメールの添付ファイル等の形態で転送されたり、専用の転送アプリケーションにより転送される）と、ＯＳとアプリケーションの間で引渡し処理されるシステムコールの一つであるファイル管理プログラムにより管理される環境下にあるパーソナルコンピュータでは、当該出力ファイルのアイコンがダブルクリック等されたときにＪＰＥＧファイルとして認識され、ＪＰＥＧ画像ファイルに対応する表示アプリケーションが起動される。当該アプリケーションにより、《Ｓｔａｒｔ  ｏｆ  ｉｍａｇｅ》及び《Ｅｎｄ  ｏｆ  Ｉｍａｇｅ》に囲まれた範囲がＪＰＥＧファイル領域と認識され、ＪＰＥＧヘッダー部に記憶されているＪＰＥＧ画像データ部の先頭アドレス情報に基づいて画像データが読み出され、所定の伸張処理を施した後に付属のディスプレイにその画像が表示される。
【００２６】
このとき出力ファイルＦ３の《Ｅｎｄ  ｏｆ  Ｉｍａｇｅ》以降のデータは、ＪＰＥＧ画像ファイルに対応するアプリケーションによって無視されるので、それ以降のデータが表示されるようなことが無い、つまり、不特定のユーザがＪＰＥＧファイルと認識して、対応するアプリケーションを起動しても後段の第二ファイルが読み出されることが無いのである。そして、出力ファイルＦ３のファイル名称やファイルサイズ等の管理データはＯＳのファイル管理プログラムによって別途管理されているのでネットワークを介した転送、コピー等の複製処理によって出力ファイルから第二ファイルが欠落するような事態は発生することが無い。
【００２７】
このようにして表示された画像は元のファイルデータの第１ページ目に対応する画像であるので、元のファイルデータの第１ページ目に当該ファイルの概要が把握可能な内容、例えば、会議議事録であれば開催日時や議題等を記載することにより、特定のユーザであれば必要なファイルであるか否かの見当をつけることができるようになるのである。つまり、前記第一ファイル生成手段１により生成される対象ファイルデータＦＤは当該対象ファイルデータＦＤのコンテンツを識別可能なデータとなる。
【００２８】
上述のファイル生成手段３３の動作を、図５に示すフローチャートに基づいて説明する。前記操作部７０を介して対象ファイルが選択されると（ＳＡ１）、前記ファイル生成手段３３の一部を構成するＰＤＦ埋め込みドライバが起動され、図２に示す設定画面１０が表示される。
【００２９】
設定画面１０のＰＤＦ／セキュリティ設定タブ１１画面で、出力ファイルの保存先フォルダ欄１２に保存先フォルダを設定し（ＳＡ２）、表紙処理欄１３に第一ファイルＦ１としてＪＰＥＧ画像ファイルを生成する対象を設定する（ＳＡ３）。ここに、図３に示すように、選択肢として文書の１ページ目を第一ファイルＦ１とし、１ページから最終ページを第二ファイルＦ２とするか、文書の１ページ目を第一ファイルＦ１とし、２ページから最終ページを第二ファイルＦ２とするか、第一ファイルを前記記憶手段３４に格納された他のファイルデータからインポートするとともに１ページから最終ページを第二ファイルＦ２とするかの何れかが選択可能に構成されている（ＳＡ３，ＳＡ４）。
【００３０】
次に、ＰＤＦファイル操作の制限欄１４で、ＰＤＦファイルとして生成される第二ファイルＦ２に対するセキュリティ情報の設定入力を行なう。具体的にはファイルをオープンするためのユーザーパスワードと、ファイルのアクセス権、つまり印刷を許可するか、文書変更を許可するか等の詳細のセキュリティ条件を設定するマスターパスワードの何れかまたは双方を設定する（ＳＡ５）。ユーザーパスワードのみ設定される場合には、文書の印刷、変更等がフリーとなり、マスターパスワードが設定される場合に、ユーザーパスワードでオープンされたファイルは上述の印刷、変更等の設定条件に基づいてアクセス権が制限される。つまり、前記ステップＳＡ５を実行する部位が第二ファイルＦ２に対するセキュリティ情報入力手段となる。
【００３１】
次に文書情報タブ１５にファイル名称等を設定して《ＯＫ》ボタンをクリックすると（ＳＡ６）、第一ファイル生成手段１により第一アプリケーションが起動されて指定された第一ファイルＦ２となるファイルデータに対してＪＰＥＧ画像ファイルが生成され（ＳＡ７）、続いて第二ファイル生成手段２により第二アプリケーションが起動されて指定された第二ファイルとなるファイルデータに対してＰＤＦファイルが生成される（ＳＡ８）。
【００３２】
さらに、出力ファイル生成手段３により前記ＪＰＥＧ画像ファイルの後段に上述した《ＫＭ  Ｅｍｂｅｄｄｅｄ  Ｉｍａｇｅ  Ｓｔａｒｔ》及び《ＫＭ  Ｅｍｂｅｄｄｅｄ  Ｉｍａｇｅ  Ｅｎｄ》でなる挿入ファイルの識別マーカで囲まれる領域に上述のファイル情報格納部とＰＤＦファイルが配置され（ＳＡ９）、それらが一体となったＪＰＥＧ画像ファイルとして指定された保存フォルダに格納される（ＳＡ１０）。尚、このとき挿入ファイルが複数存在する場合には、前記識別マーカとその識別マーカで囲まれるファイル情報格納部及びＰＤＦファイルの組を複数組連続して配置することができる。さらに転送操作スイッチを操作することにより転送先設定画面が表示され、転送先アドレスを選択して転送スイッチを操作することにより当該出力ファイルが転送される（ＳＡ１１）。
【００３３】
パーソナルコンピュータ上のファイル処理システムは、例えばマイクロソフト社のＯＳ（Ｏｐｅｒａｔｉｎｇ  Ｓｙｓｔｅｍ）であるウィンドウズ(登録商標)上で動作するアプリケーションにより生成されたファイルが、ＯＳとアプリケーションの間で引渡し処理されるシステムコールの一つであるファイル管理プログラムにより管理される環境下で実現されている。
【００３４】
上述のようにしてＪＰＥＧ画像ファイルをオープン可能な汎用のアプリケーションによりファイルの概要が確認され、必要なファイルであると判断した特定のユーザが前記出力ファイルＦ３をオープンする必要があるときには、専用の閲覧アプリケーションを起動する。以下、図７に示すフローチャートに基づいて説明する。前記出力ファイルのアイコンを閲覧アプリケーションのアイコンにドラッグアンドドロップ操作することにより当該アプリケーションが起動される（ＳＢ１，ＳＢ２）。
【００３５】
前記閲覧アプリケーションは、図６に示すように、前記出力ファイル生成手段３により生成された出力ファイルＦ３から前記第二ファイルＦ２を分離し、前記第二ファイルＦ２のファイル属性を備えた分離ファイルＦ４として生成するファイル分離手段４を備え構成される。
【００３６】
前記ファイル分離手段４は、《Ｓｔａｒｔ  ｏｆ  ｉｍａｇｅ》及び《Ｅｎｄ  ｏｆ  Ｉｍａｇｅ》に囲まれた範囲をＪＰＥＧファイル領域と認識するとともに（ＳＢ３）、《ＫＭ  Ｅｍｂｅｄｄｅｄ  Ｉｍａｇｅ  Ｓｔａｒｔ》及び《ＫＭ  Ｅｍｂｅｄｄｅｄ  Ｉｍａｇｅ  Ｅｎｄ》でなる挿入ファイルの識別マーカで囲まれる領域をＰＤＦファイル領域として認識し（ＳＢ４）、ＰＤＦファイル領域に存在するＰＤＦファイルを分離して対応するアプリケーションであるアクロバットリーダを起動する。
【００３７】
詳述すると、ファイルの分離時に前記識別マーカが認識されない場合には、形式が異なるためにファイルがオープンされない旨のエラーメッセージが表示され（ＳＢ１０）、前記識別マーカが認識された場合には、ファイル情報格納部に配置されたファイル識別情報である前記認証情報を照合してファイルの真正性が識別された後に（ＳＢ６）、前記データサイズに基づいて当該ＰＤＦファイルを分離し、チェックサムを検査した後にアクロバットリーダが起動される（ＳＢ７）。ファイルの真正性が確認されない場合にはステップＳＢ１０でエラーメッセージが表示される（ＳＢ１０）。尚、前記認証情報によるファイルの真正性判断は必ずしも必要とされるものではなく、前記識別マーカの存在非存在によりファイルの真正性判断を行なうものであってもよい。
【００３８】
起動されたアクロバットリーダは、上述のステップＳＡ５で設定されたセキュリティ情報であるパスワードの入力を要求する画面を表示し、入力されたパスワードと照合して一致すれば（ＳＢ８）、当該ＰＤＦファイルをオープンし（ＳＢ９）、不一致であればエラーメッセージを表示して再度パスワードの設定入力を促す。
【００３９】
《ＫＭ  Ｅｍｂｅｄｄｅｄ  Ｉｍａｇｅ  Ｓｔａｒｔ》及び《ＫＭ  Ｅｍｂｅｄｄｅｄ  Ｉｍａｇｅ  Ｅｎｄ》でなる挿入ファイルの識別マーカで囲まれる領域が複数存在する場合には、ステップＳＢ４からＳＢ１０の処理が繰り返されることになる。
【００４０】
上述した実施形態では、第一ファイルＦ１がＪＰＥＧ画像ファイルで構成され、第二ファイルＦ２がＰＤＦファイルで構成されたものを説明したが、第一ファイルＦ１はＪＰＥＧ画像ファイルに限るものではなく、少なくとも《Ｓｔａｒｔ  ｏｆ  ｉｍａｇｅ》及び《Ｅｎｄ  ｏｆ  Ｉｍａｇｅ》のような識別子に囲まれた範囲を有効なファイル領域と認識し、その範囲のデータに基づいて画像ファイルをオープンすることが可能なアプリケーションに対応するものであればＴＩＦＦファイルのような画像ファイルであってもよく、また、第二ファイルＦ２もＰＤＦファイルに限定するものではなく、汎用のアプリケーションに対応する任意の画像ファイルで構成されるものであってもよい。
【００４１】
上述した実施形態は、本発明の一例に過ぎず、デジタル複合機に組み込まれる画像読取装置に限らず、単独のネットワークスキャナで構成されるものであってもよい。また、画像読取装置を構成する各機能ブロックの具体的な構成は本発明の作用効果を奏する範囲において適宜変更設計できることはいうまでもない。
【図面の簡単な説明】
【００４２】
【図１】ファイル処理システムＦＳの要部のブロック構成図
【図２】出力ファイル生成手順の説明図
【図３】対象ファイルデータの説明図
【図４】出力ファイルのファイル構造説明図
【図５】出力ファイルの生成手順を示すフローチャート
【図６】ファイル処理システムＦＳの要部のブロック構成図
【図７】出力ファイルの分離手順を示すフローチャート
【図８】デジタル複合機のブロック構成図
【符号の説明】
【００４３】
１：第一ファイル生成手段
２：第二ファイル生成手段
３：出力ファイル生成手段
４：ファイル分離手段
３３：ファイル生成手段
Ｆ１：第一ファイル
Ｆ２：第二ファイル
Ｆ３：出力ファイル
ＦＤ：対象ファイルデータ
ＦＳ：ファイルシステム
【図１】
2007028456.tif 000003
【図４】
2007028456.tif 000004
【図５】
2007028456.tif 000005
【図６】
2007028456.tif 000006
【図７】
2007028456.tif 000007
【図８】
2007028456.tif 000008
【図２】
2007028456.tif 000009
【図３】
2007028456.tif 000010